(57)【要約】【課題】  他の機器からの排水を合流する水洗大便器の排水ソケットで、水洗大便器のサイホン作用に影響を及ぼさず、また他の機器の排水路に悪影響を与えにくい排水ソケットを提供する。【解決手段】  水洗大便器の排水路と他の機器の排水路を合流させこれらの排水路を排水配管に連通させる水洗大便器の排水ソケットであって、前記水洗大便器の排水口を収容する挿入口部の下流側に連設した排出管路部とを有する第１排出路形成部と、上方を開口した有底の筒状部と、この筒状部の側方部に設けられた他の機器の排水路と接続するための接続口と、下方に突設した連通部とを有する第２排出路形成部とからなり、前記第１排出路形成部によって前記筒状部の上方開口を閉塞し、前記排出管路の下端部が前記連通部の流入口に近接して対向するか若しくは前記連通部の内側に進入して前記連通部との間に空隙を形成し、前記接続口と前記連通部とを連通する連通空間を形成している。【選択図】  図２
2005336890.tif 000002
【特許請求の範囲】
【請求項１】
水洗大便器の排水路と他の機器の排水路を合流させこれらの排水路を床に設けられた排水配管に連通させる水洗大便器の排水ソケットであって、
前記水洗大便器の排水口を挿入して収容する挿入口部と、前記挿入口部の下流側に連設され下端部が開放した排出管路部とを有する第１排出路形成部と、
上方を開口した有底の筒状部と、この筒状部の側方部に設けられた他の機器の排水路と接続するための接続口と、前記筒状部の底部に設けられ前記排水配管と嵌合して連通するための下方に突設した連通部とを有する第２排出路形成部とからなり、
前記排出管路部を前記筒状部の内部に上方から挿入して収容された状態で前記第１排出路形成部によって前記筒状部の上方開口を閉塞し、前記排出管路部の下端部が前記連通部の流入口に近接して対向するか若しくは前記連通部の内側に進入して前記連通部との間に空隙を形成し、前記接続口と前記連通部とを連通する連通空間を形成していることを特徴とする水洗大便器の排水ソケット。
【請求項２】
前記排出管路部は、前記挿入口部とその下流側に一体形成した直線状の第１管路部と、前記第１管路部の下端部と接続した第２管路部で構成し、前記第２管路部の下端部が前記連通部の流入口に近接して対向するか若しくは前記連通部の内側に進入して前記連通部との間に空隙を形成していることを特徴とする請求項１記載の水洗大便器の排水ソケット。
【請求項３】
前記第２管路部を蛇腹管で構成すると共に、前記挿入口部の外側と前記筒状部の上端部内側との間に蛇腹状のパッキンを配設し、前記第１排出路形成部が前記第２排出路形成部に対して移動可能としたことを特徴とする請求項２記載の水洗大便器の排水ソケット。
【発明の詳細な説明】
【技術分野】
【０００１】
本発明は、水洗大便器の排水ソケットに係り、特に水洗大便器からの排水路と他の機器の排水路を合流させてこれらの排水路を床面に設けられた排水配管に連通させる排水ソケットに関する。 
【背景技術】
【０００２】
水洗大便器と手洗い器が併設されているトイレにおいては、水洗大便器からの排水と、手洗い器からの排水を合流させて１本の排水配管に排出することが行われている。この配管方式には、図６（ａ）、（ｂ）に示すような、水洗大便器Ｂからの排水路Ｂ１と、手洗い器Ｌからの排水路Ｌ１とを合流させ、排水配管Ｄに排出する排水ソケット１００が使用されている。この配管方式は、特に、既設のトイレに手洗い器を増設するような場合に、手洗い器用の排水配管を新たに立上げ直す必要がないため、便利である。
【０００３】
また、特開２００３−２７５６３号公報には、水洗大便器と手洗い器とを、Ｌ字形カウンターを介して配置したトイレユニットを記載している。このトイレユニットでは、手洗い器からの排水を流す管路がＬ字形カウンターの中を通って水洗大便器のトラップの下流側の排水ソケットに接続され、水洗大便器からの排水と手洗い器からの排水が水洗大便器のトラップの下流で合流して排水配管に排出される。
【０００４】
【特許文献１】特開２００３−２７５６３号公報（第７、８図）
【発明の開示】
【発明が解決しようとする課題】
【０００５】
しかしながら、水洗大便器トラップの下流側管路の構成は、水洗大便器のサイホン作用に関係するため、水洗大便器からの排水と手洗い器からの排水とを合流させる合流出口の位置、形状によっては、水洗大便器のサイホン作用を弱める可能性があるという問題がある。これは、水洗大便器からの排水が管路内を流れることにより管路内に負圧が発生すると、手洗い器排水の合流出口から管路内に空気が吸込まれるため、サイホン作用の発生に必要な管路内の水膜の形成が阻害されたり、サイホン作用の持続を阻害される場合があるためである。
【０００６】
また、合流部分の管路の構成によっては、水洗大便器から排出された汚水が合流出口を通って手洗い器排水の管路に逆流するため、手洗い器排水の管路に汚物が堆積し、管路を詰まらせる恐れがあるという問題がある。さらに、水洗大便器からの排水が管路内を流れて管路内に負圧が発生すると、手洗い器と合流出口との間の管路に形成された手洗い器排水のトラップ内の封水が吸い出され、封水が破られる破封現象を引起こす恐れがあるという問題がある。
【０００７】
また、前記図６においては、水洗大便器の排水路を構成する部材を直接床に配設された排水配管内に挿入して接続シールするため、水洗大便器の排出口と排水配管との寸法精度が要求されるという問題がある。
【０００８】
そこで、本発明の目的は、水洗大便器のサイホン作用が弱められることが少なく、水洗大便器から排出された汚物が水洗大便器からの排水と合流する排水路に堆積しにくく、また水洗大便器からの排水に合流された他の機器の排水路に悪影響を与えにくく、さらに水洗大便器の排出口と排水配管との間の寸法精度が要求されない排水ソケットを提供することである。
【課題を解決するための手段】
【０００９】
請求項１記載の本発明は、水洗大便器の排水路と他の機器の排水路を合流させこれらの排水路を床に設けられた排水配管に連通させる水洗大便器の排水ソケットであって、前記水洗大便器の排水口を挿入して収容する挿入口部と、前記挿入口部の下流側に連設され下端部が排出管路部とを有する第１排出路形成部と、上方を開口した有底の筒状部と、この筒状部の側方部に設けられた他の機器の排水路と接続するための接続口と、前記筒状部の底部に設けられ前記排水配管と嵌合して連通するための下方に突設した連通部とを有する第２排出路形成部とからなり、前記排出管路部を前記筒状部の内部に上方から挿入して収容された状態で前記第１排出路形成部によって前記筒状部の上方開口を閉塞し、前記排出管路部の下端部が前記連通部の流入口に近接して対向するか若しくは前記連通部の内側に進入して前記連通部との間に空隙を形成し、前記接続口と前記連通部とを連通する連通空間を形成していることを特徴とする。
【００１０】
上記のように構成された本発明においては、水洗大便器の排出口からの排水は第１排出路形成部の挿入口から流入し、下端部の開口から直接排水配管に排出される。また、他の機器からの排水は接続口から流入し、連通空間を通って直接排水配管に排出される。そのため他の機器からの排水が第１排出路形成部内を流動する汚水・汚水の挙動に影響を及ぼすことがない。逆に、第１排出路形成部内を流動する汚水・汚水の挙動が第２排出路形成部内の他の機器からの排水流動に影響を及ぼすことがない。
【００１１】
また、排水配管との接続を第２排出路形成部に設けた連通部で行うので水洗大便器の排出口と排水配管との間の寸法精度がラフに設定できる。
【００１２】
また、本発明において好ましくは、前記排出管路部は、前記挿入口部とその下流側に一体形成した直線状の第１管路部と、前記第１管路部の下端部と接続した第２管路部で構成し、前記第２管路部の下端部が前記連通部の入口に近接して対向するか若しくは前記連通部の内側に進入して前記連通部との間に空隙を形成していることを特徴とする構成とする。
【００１３】
上記のように構成された本発明においては、水洗大便器、排水配管の配設位置によって前記挿入口部の芯と前記連通部の芯が偏芯した場合に、第２管路部を直管状、ベント管状の形状のものに変更するだけで容易に対応することができる。
【００１４】
また、本発明において好ましくは、前記第２管路部を蛇腹管で構成すると共に、前記挿入口部の外側と前記筒状部の上端部内側との間に蛇腹状のパッキンを配設し、前記第１排出路形成部が前記第２排出路形成部に対して移動可能とする。
【００１５】
上記のように構成された本発明においては、設置場所によって水洗大便器の排水口の芯の壁からの距離が変わっても調整することができ、調整した後においても第２管路部の内径が変わらない状態を維持することができるため水洗大便器の排水性能が確保できる。
【発明の効果】
【００１６】
本発明によれば、水洗大便器の排水ソケットにおいて、便器のサイホン作用が弱められることが少なく、水洗大便器から排出された汚物が堆積しにくく、しかも他の機器の排水路と合流しても水洗大便器及び他の機器の相互に悪影響を与えにくいという効果が得られる。
【発明を実施するための最良の形態】
【００１７】
本発明に係る水洗大便器の排水ソケットの実施形態を図面を参照して説明する。
（第１実施形態）
まず、本発明に係る第１実施形態を水洗大便器の排水ソケットを図１、図２に基づいて説明する。図１は、水洗大便器Bの排水ソケット１に手洗い器Lの排水管L１を接続した状態を示す図であり、（ａ）は平面図、（ｂ）は側面図である。図２は図１に示す排水ソケット１で、（ａ）は平面図、（ｂ）は断面図である。
【００１８】
排水ソケット１は、第１排出路形成部１０と第２排出路形成部５とから構成している。第１排出路形成部１０は、水洗大便器Ｂの排水口Ｂ２を挿入して収容する挿入口部２ａ、挿入口部２ａの下方に連設した直線状の第１管路部２ｂ、第１管路部２ｂの下方に連設したベント状の第２管路部２ｃ、挿入口部２ａの外周縁に形成したフランジ部１１、フランジ部１１の外縁下方に突設した突設部１１ａから構成している。挿入口部２ａと第１管路部２ｂは一体成形され、第１管路部２ｂと第２管路部２ｃとは接着材で連結している。挿入口部２ａにはパッキンＰ１を装着して、水洗大便器Ｂの排水口Ｂ２と挿入口部２ａとの間の水密性、気密性を確保するようにしている。フランジ部１１と突設部１１ａによって後述する第２排水路形成部５の筒状部５ａの上方の開放部を塞いでいる。
【００１９】
第２排出路形成部５は、上方を開放した筒状部５ａ、筒状部５の上方側面部に設けた手洗い器Ｌの排水管Ｌ１を接続する接続口Ｌ２、床Ｆに配設された排配管Ｄと連通するための筒状部５ａの底部６ａの隅部に排水配管Ｄと連通するための連通部５ｂ、筒状部５の下方の両側及び前方に突出する脚部４からなり、それらを一体成形している。そして、筒状部５の底部６ａは汚水の堆積を防ぐために連通部５ｂの流入口５ｃに向かって傾斜面としている。また、各脚部４の先端には、床面に固定するネジを通すための穴４ａが設けられている。
【００２０】
第２排出路形成部５の筒状部５ａの内部に上方から第１排出路形成部１０の第１管路部２ｂと第２管路部２ｃを挿入して収容し、突設部１１ａと筒状部５ａの上方端部５ｄの内側に嵌合し接着固定して、第１排出路形成部１０と第２排出路形成部５とを一体化して排水ソケット１を形成している。
【００２１】
第１排出路形成部１０と第２排出路形成部５とを一体化した状態で、筒状部５ａと第１管路部２ｂ及び第２管路部２ｃとの間に連通空間６を形成し、第２管路部２ｃの下端部が連通部５ｂの流入口部５ｃに近接した位置となっている。
【００２２】
次に、第１実施形態の排水ソケット１の作用を説明する。まず、水洗大便器Ｂの便鉢Ｂ３に洗浄水が流れ込んでいない時には、便鉢Ｂ３内の水位は、水洗大便器Ｂの封水トラップの最高点Ｂ４の高さに維持されている。便鉢Ｂ３内に洗浄水が流れ込むと、洗浄水がトラップの最高点Ｂ４を越えて排水ソケット１内に流入する。排水ソケット１に流入した洗浄水は第１管路部２ｂを流下し、下方の第２管路部２ｃの曲がった部分に当たって跳ね上がる。跳ね上がった洗浄水によって第２管路部２ｃの下端部付近に水膜が形成されサイホン作用が発生し、便鉢Ｂ３内の洗浄水及び汚物が吸引される。本実施形態の排水ソケット１においては、第２管路２ｃに充満した洗浄水に作用する引力によって第２管路２ｃ及び水洗大便器Ｂの排水路Ｂ１内に負圧を発生させ、便鉢Ｂ３内の洗浄水及び汚物を吸引するサイホン作用を利用している。
【００２３】
手洗い器Lの排水管L１からの排水は、接続口Ｌ２から連通空間６、第１排出路形成部１０の第２管路部２ｃの端部と筒状部５ａの底部６ａとの間の空隙を通過して連通部５ｂ内に流れ込み排水管Ｄへ排出される。
【００２４】
以上より、排水ソケット１の第２管路部２ｃと離間して独立した位置に手洗い排水の接続口Ｌ２を設けることで、水洗大便器Ｂのサイホン作用に与える影響は非常に少なくなる。また、第２管路部２ｃを通過した洗浄水は、連通部５ｂを通過して排水管Ｄへ排出され、水洗大便器Ｂのサイホン作用は第２管路部２ｃの下端にて負圧破壊されるため、手洗い器Ｌの排水管Ｌ１に負圧の影響を与えることは殆どない。したがって手洗い器Ｌの排水経路の設けたトラップの封水（図示せず）が吸い出され、破封が発生することを防止できる。
【００２５】
また、サイホン発生時においても、水洗大便器Ｂの排水路Ｂ１内、第２管路部２ｃ内に手洗い器側のエアーが流入することはなく、安定したサイホン力の維持が可能となる。さらに、第２管路部２ｃより排水された洗浄水は直接排水管Ｄに流れ込むため、手洗い排水管Ｌ１内に汚水が逆流して、汚水が堆積することがない。
【００２６】
（第２実施形態）
次に、本発明に係る第２実施形態を水洗大便器の排水ソケットを図３、図４、５に基づいて説明する。図３は、本発明の第２実施形態の水洗大便器の排水ソケット２０を、（ａ）は平面図、（ｂ）は側面図である。図４は、図３（ｂ）のＡ−Ａ断面図、図５は、図３（ｂ）のＸ部の拡大図である。
【００２７】
排水ソケット２０は、第１実施形態と同様に第１排出路形成部２１と第２排出路形成部２５とから構成している。第１排出路形成部２１は、水洗大便器Ｂの排水口Ｂ２が挿入される挿入口部２１ａ、挿入口部２１ａの下方に連設した直線状の第１管路部２１ｂ、第１管路部２１ｂの下端部に連設したベント状の第２管路部２１ｃを備えている。そして、挿入口部２１ａの外周縁に形成したフランジ部２９、挿入口部２１ａの外縁下方に突設した突設部２９ａから構成している。挿入口部２１ａ、第１管路部２ｂ、フランジ部２９及び突設部２９ａは一体成形している。第２管路部２１ｃは別体の蛇腹管である。
【００２８】
第２管路部２１ｃの下端部には後述する連通部２５ｂ内に挿入する挿入筒部２３を連結している。挿入筒部２３はその外周面が凹凸形状をなしており、４ヶ所の凸部２３ａ、凹部２３ｂを設けている。凸部２３ａの外側と連通部２５ｂの内側との間隔を小さくして挿入筒部２３の移動量を規制している。また、凹部２３ｂは後述する連通空間２６と連通部２５ｂを連絡する手洗い器の排水流路としている。
【００２９】
第２排出路形成部２５は、第１実施形態と同様に、上方を開放し有底の筒状部２５ａ、筒状部２５ａの上方側面部に設けた手洗い器Ｌの排水管Ｌ１を接続する接続口Ｌ２、排水配管Ｄと連通するための筒状部２５ａの底部２６ａの隅部に排水管配管Ｄと連通するための突出した連通部２５ｂ、筒状部２５ａの下方の両側及び前方に突出する脚部４からなり、それらを一体成形している。そして、筒状部２５ａの底部２６ａは汚水の堆積を防ぐために連通部２５ｂの流入口２５ｃに向かって傾斜面としている。また、各脚部４の先端には、床面に固定するネジを通すための穴４ａが設けられている。また、筒状部２５ａの上端部の内側２５ｄには、後述する環状の蛇腹パッキン２８を支持するためのアダプタ２７が嵌合する段部２５ｃを形成している。
【００３０】
アダプタ２７は、一端部が連設した外筒部２７ａと内筒部２７ｂを有し、外筒部２７ａと内筒部２７ｂの間の凹溝２７ｃに環状の蛇腹パッキン２８の外側端部２８ａを収納支持している。
【００３１】
第１排出路形成部２１の第１管路部２１ｂ、第２管路部２１ｃを第２排水路形成部２５の筒状部２５ａの内部の収容した状態で、アダプタ２７の外筒部２７ａが段部２５ｃと係合し、内筒部２７ｂと突設部２９ａとの間に環状の蛇腹パッキン２８を配設して、筒状部２５ａの上方を塞いでいる。また、第２管路部２１ｃの下端部に連設した挿入筒部２３を連通部２５ｂ内に挿入している。そして、第１管路部２１ｂと第２管路部２１ｃとの間に、接続口Ｌ２と連通部２５ｂとを連絡する連通空間２６を形成している。
【００３２】
本実施形態においては、環状の蛇腹パッキン２８により挿入口部２１ａ及び第１管路部２１ｂが横方向に自在に移動可能であり、水洗大便器の機種により設定されている壁からの水洗大便器取付距離Ｋの違いＫ１、Ｋ２にも対応可能となり排水ソケットの共通化が容易なものとなる。
【００３３】
また、第１管路部２１ｂと一体成形されたフランジ２９の下面が環状の蛇腹パッキン２８の上側でアダプタ２７の外筒部２７ａと内筒部２７ｂの一端を連絡する連絡部２７ｄに接触した状態で嵌合されているため、第１管路部２１ｂが下方向に動くことを防ぎ、水洗大便器Ｂの排水口Ｂ２を第１排出路形成部２１の挿入口部２１ａに挿入して収容する際の挿入不良を防ぐことができる。
【００３４】
また、第２管路部２５を蛇腹管で構成し、その下端部に連通部２５ｃ内に挿入する挿入筒部２３ａを連結して挿入筒部２３ａの連通部２５ｃ内での移動量を規制しているので、第１管路部２１ｂの水平方向への移動に関わらず、第２管路部２５ｃの内径を確保した状態で第１管路部２１ｂの壁から偏芯量Ｈを調整することが容易にでき、安定した水洗大便器の排水性能の確保することが可能となる。
【図面の簡単な説明】
【００３５】
【図１】本発明に係る第１実施形態の水洗大便器の排水ソケットに手洗い器の排水管を接続した状態を示す図で、（ａ）は平面図、（ｂ）は側面図。
【図２】図１に示す排水ソケットで、（ａ）は平面図、（ｂ）は断面図。
【図３】本発明に係る第２実施形態の水洗大便器の排水ソケットの（ａ）は平面図（ａ）及び側面図（ｂ）。
【図４】図３（ｂ）のＡ−Ａ断面図。図５は、図３（ａ）のＸ部の拡大図である。
【図５】図３（ａ）のＸ部の拡大図。
【図６】従来の水洗大便器の排水ソケットに手洗い器の排水管を接続した状態を示す図。
【符号の説明】
【００３６】
Ｂ…水洗大便器
Ｂ１…排水路
Ｂ２…排水口
Ｂ３…便鉢
Ｂ４…トラップの最高点
Ｄ…排水配管
Ｆ…床
Ｌ…手洗い器
Ｌ１…排水管
Ｌ２…接続口
Ｐ１…パッキン
Ｈ…偏芯量
Ｋ…壁から排水口接続位置までの距離
１、２０…排水ソケット
２ａ、２１ａ…挿入口部
２ｂ、２１ｂ…第１管路部
２ｃ、２１ｃ…第２管路部
４…脚部
５、２５…第２排出路形成部
５ａ…筒状部
５ｂ、２５ｂ…連通部
５ｃ、２５ｃ…流入口
５ｄ…上方端部
６、２６…連通空間
６ａ、２６ａ…底部
１０、２１…第１排出路形成部
１１、２９…フランジ部
１１ａ、２９ａ…突設部
２３…挿入筒部
２３ａ…凸部
２３ｂ…凹部
２７…アダプタ
２７ａ…外筒部
２７ｂ…内筒部
２７ｃ…凹溝
２７ｄ…連絡部
２８…蛇腹パッキン
【図１】
2005336890.tif 000003
【図２】
2005336890.tif 000004
【図３】
2005336890.tif 000005
【図４】
2005336890.tif 000006
【図５】
2005336890.tif 000007
【図６】
2005336890.tif 000008